(57)【要約】    【課題】  本発明の課題は、洪水が起こった場合にも、少ない時間と労力で迅速に所定箇所に設置が可能であるとともに、浸水を確実に防止し得る軽量かつ簡素な構成の水害防止装置を提供することにある。    【解決手段】  本発明の水害防止装置は、後方に行くに従い次第に高くなる傾斜面を有する止水壁部２と、止水壁部２を後方から支える水圧補強部３と、止水壁部２の下縁部および水圧補強部３の下縁部を支持する基盤ベース部４と、設置面に押圧されることにより変形してシールし漏水を防止するとともに基盤ベース部４の両外側方に延在する外側部域５ｂ、５ｂを有する止水シール部５とを具える正面構造体Ａと、止水壁部２の側縁部２ｅにスライドして嵌合する溝部６ｃと、側方からの漏水を防止する側壁止水補強部７と、側壁に押圧されることにより変形してシールし漏水を防止する側壁止水シール部８とを有し、外側部域５ｂ、５ｂ上に配設される側部構造体Ｂ１、Ｂ２と、正面構造体Ａを設置面に固定する固定手段４ａとを備えている。    【選択図】  図１
2008002195.tif 000002
【特許請求の範囲】
【請求項１】
洪水等による浸水を防止する水害防止装置であって、
前方からの洪水に対して後方に行くに従い水平面に対して次第に高くなる傾斜面を有する止水壁部と、前記止水壁部を後方から支える水圧補強部と、前記止水壁部の下縁部および前記水圧補強部の下縁部を支持する基盤ベース部と、該基盤ベース部の下面に取り付けられ、設置面に押圧されることにより変形してシールし漏水を防止するとともに該基盤ベース部の両外側方に延在する外側部域を有する止水シール部とを具える正面構造体と、
前記止水壁部の側縁部にスライドして嵌合する溝部と、前記止水壁部および前記基盤ベース部の側方に配置され側方からの漏水を防止する側壁止水補強部と、該側壁止水補強部の外側部に取り付けられ側壁に押圧されることにより変形してシールし漏水を防止する側壁止水シール部とを有し、前記止水シール部の外側部域上に配設される側部構造体と、
前記正面構造体を設置面に固定する固定手段とを
備えたことを特徴とする水害防止装置。
【請求項２】
前記正面構造体における止水シール部の外側部域は、前記基盤ベース部下方の中央部より低い高さに形成されることを特徴とする請求項１に記載の水害防止装置。
【請求項３】
側方に隣接する一対の前記正面構造体の止水壁部の側縁部にそれぞれスライドして嵌合する第１接続用溝部および第２接続用溝部を有する接続体をさらに具え、
前記正面構造体を前記接続体を介して複数接続した
ことを特徴とする請求項１または請求項２に記載の水害防止装置。
【請求項４】
前記正面構造体における止水壁部、水圧補強部、および基盤ベース部を金属板を折り返して接合して形成した
ことを特徴とする請求項１から請求項３のうちの何れか一項に記載の水害防止装置。
【請求項５】
前記水圧補強部を、前記止水壁部の裏面に蝶番を介して取り付けた
ことを特徴とする請求項１から請求項３のうちの何れか一項に記載の水害防止装置。
【発明の詳細な説明】
【技術分野】
【０００１】
本発明は、洪水が起こった場合に集合住宅、事業用ビル等の屋内への浸水または屋外の所定区域内への浸水を防止する水害防止装置に関する。
【背景技術】
【０００２】
近年、山間部等における宅地造成、再開発が急速に進み、森林の伐採等が大規模に行われ、地盤の変化が急速に進行している。
【０００３】
一方、技術革新、人口増加に伴なうエネルギー消費による温暖化現象等に起因する気象変化により、異常気象が発生している。
【０００４】
このような自然環境の変化に伴ない、天候不順による大雨、台風の異常発生による大量の降雨が多発している。  こうした大量の降雨が起こった場合、山間部等における森林の伐採により森林の保水機能が損なわれているため、鉄砲水、土石流等が発生して短時間で河川の異常増水が起こり、各地で堤防の決壊が頻発している。
【０００５】
従来、洪水が起こった場合には、土砂を入れた多数の土嚢を積み上げ、一定区域内或いは屋内等への洪水による浸水を防止している。
【０００６】
出願人が把握している従来技術は、上記のものであり、本出願に係る文献公知発明として認識しているものはない。
【発明の開示】
【発明が解決しようとする課題】
【０００７】
ところで、上述の如く、浸水を防止するために土嚢を積み上げる方策は、土嚢に土砂を積め、多数の土嚢を作る作業に多くの人力を要する。  しかも、一つの土嚢の容積は小さいため、浸水を防ぐには土嚢の数も非常に多数にのぼる。
【０００８】
そのため、多数の土嚢を作り、この多数の土嚢を積み上げる作業には多くの労力と時間を費やし、洪水による水位上昇に時間的に間に合わないケースが多く、有効な手段とはなっていない。
【０００９】
このような背景から、洪水の浸水による人的、物的被害は甚大なものとなっている。
【００１０】
本発明は上記実状に鑑み、洪水が起こった場合にも、少ない時間と労力で迅速に所定箇所に設置が可能であるとともに、浸水を確実に防止し得る軽量かつ簡素な構成の水害防止装置の提供を目的とする。
【課題を解決するための手段】
【００１１】
上記目的を達成するべく、本発明の請求項１に関わる水害防止装置は、洪水等による浸水を防止する水害防止装置であって、前方からの洪水に対して後方に行くに従い水平面に対して次第に高くなる傾斜面を有する止水壁部と、前記止水壁部を後方から支える水圧補強部と、前記止水壁部の下縁部および前記水圧補強部の下縁部を支持する基盤ベース部と、該基盤ベース部の下面に取り付けられ、設置面に押圧されることにより変形してシールし漏水を防止するとともに該基盤ベース部の両外側方に延在する外側部域を有する止水シール部とを具える正面構造体と、前記止水壁部の側縁部にスライドして嵌合する溝部と、前記止水壁部および前記基盤ベース部の側方に配置され側方からの漏水を防止する側壁止水補強部と、該側壁止水補強部の外側部に取り付けられ側壁に押圧されることにより変形してシールし漏水を防止する側壁止水シール部とを有し、前記止水シール部の外側部域上に配設される側部構造体と、前記正面構造体を設置面に固定する固定手段とを備えている。
【００１２】
本発明の請求項２に関わる水害防止装置は、請求項１に記載の水害防止装置において、前記正面構造体における止水シール部の外側部域は、前記基盤ベース部下方の中央部より低い高さに形成されている。
【００１３】
本発明の請求項３に関わる水害防止装置は、請求項１または請求項２に記載の水害防止装置において、側方に隣接する一対の前記正面構造体の止水壁部の側縁部にそれぞれスライドして嵌合する第１接続用溝部および第２接続用溝部を有する接続体をさらに具え、前記正面構造体を前記接続体を介して複数接続している。
【００１４】
本発明の請求項４に関わる水害防止装置は、請求項１から請求項３のうちの何れか一項に記載の水害防止装置において、前記正面構造体における止水壁部、水圧補強部、および基盤ベース部を金属板を折り返して接合して形成している。
【００１５】
本発明の請求項５に関わる水害防止装置は、請求項１から請求項３のうちの何れか一項に記載の水害防止装置において、前記水圧補強部を、前記止水壁部の裏面に蝶番を介して取り付けている。
【発明の効果】
【００１６】
以上、詳述した如く、本発明の請求項１に関わる水害防止装置によれば、洪水が起こった場合にも、少ない時間と労力で迅速に所定箇所に設置が可能であるとともに、浸水を確実に防止し得る軽量かつ簡素な構造の水害防止装置が得られる。
【００１７】
また、本発明の請求項２に関わる水害防止装置によれば、正面構造体における止水シール部の外側部域を基盤ベース部下方の中央部より低く形成するので、正面構造体と側部構造体間の止水性が向上し、正面構造体と側部構造体間からの漏水をさらに良好に防止できる。
【００１８】
また、本発明の請求項３に関わる水害防止装置によれば、正面構造体を接続体を介して接続するので、水害防止装置を任意の長さにすることが可能で、水害防止装置を任意の場所に設置できる。
【００１９】
また、本発明の請求項４に関わる水害防止装置によれば、正面構造体における止水壁部、水圧補強部、および基盤ベース部を金属板を折り返して接合して形成するので、生産性高く生産でき生産コストを低減できる。
【００２０】
また、本発明の請求項５に関わる水害防止装置によれば、水圧補強部を止水壁部の裏面に蝶番を介して取り付けるので、止水壁部に対して水圧補強部を畳んで持ち運びでき、運搬が容易であり、水害防止装置として使用する場合にも設置が容易である。
【発明を実施するための最良の形態】
【００２１】
以下、本発明の実施形態について添付図面を参照して説明する。
【００２２】
本発明を適用した水害防止装置１は、前方からの斜視図の図１に示すように、矢印αに示す前方からの洪水による浸水を阻止する正面構造体Ａと、正面構造体Ａの両側部に配設され正面構造体Ａ側方からの漏水を防止する側部構造体Ｂ１、Ｂ２とを備えている(後方からの斜視図の図２参照)。
【００２３】
正面構造体Ａは、前方からの斜視図の図３、後方からの斜視図の図４に示すように、洪水による浸水を正面で止水する止水壁部２と、止水壁部２前面に加わる水圧による力を後方から支える水圧補強部３と、止水壁部２の下縁部および水圧補強部３の下縁部をそれぞれ支持する基盤ベース部４と、基盤ベース部４の下面に取り付けられ正面構造体Ａ下面からの漏水を防止する止水シール部５とを有している。
【００２４】
正面構造体Ａの止水壁部２は、図１〜図４に示すように、前方からの洪水に対して後方に行くに従い水平面に対して次第に高くなる傾斜面、例えば約４５度傾斜した傾斜面を有している。
【００２５】
正面構造体Ａの水圧補強部３は、図３、図４に示すように、止水壁部２をその下縁部から全体高さの１／３位の位置で後方から支持することにより、水圧が加わる止水壁部２を支えている。
【００２６】
止水壁部２および水圧補強部３を支持する基盤ベース部４の前方には、水害防止装置１を設置面に固定するためのアンカーボルト、杭等(固定手段)が挿通される固定用孔(固定手段)４ａ、…が複数穿孔されている。
【００２７】
基盤ベース部４の下面に取り付けられる止水シール部５は、ゴム或いはスポンジ等の漏水防止用のシール材であり水密性を有するとともに設置面に押圧されることにより変形してシールし、正面構造体Ａ下面からの漏水を防止している。
【００２８】
止水シール部５は、図３、図４に示すように、基盤ベース部４下方の中央部５ａが厚く形成され、基盤ベース部４外方の両外側部域５ｂ、５ｂは、中央部５ａに対して上面が下方に形成され段差を有するように薄く形成されている。
【００２９】
そして、中央部５ａの前部には、アンカーボルト、杭が挿通するために、基盤ベース部４の固定用孔４ａ、…と同軸心同径の固定用の固定用孔４ａ、…が複数穿孔されている。
【００３０】
側部構造体Ｂ１、Ｂ２は、図１、図２に示すように、正面構造体Ａに対して、互いに左右対称の構成であるので、側部構造体Ｂ１についてのみ説明する。
【００３１】
側部構造体Ｂ１は、前方からの斜視図の図５、後方からの斜視図の図６に示すように、側部構造体Ｂ１を正面構造体Ａに組み付ける際に止水壁部２の側縁部２ｅがスライドして嵌合する溝部６ｃを形成する側部嵌合前壁６ａおよび側部嵌合後壁６ｂと、側部嵌合前後壁６ａ、６ｂが支持される側壁止水補強部７と、側壁止水補強部７に取り付けられる側壁止水シール部８と、側壁止水シール部８を補強する側壁シール補強部９とを有している。
【００３２】
上記側部嵌合前壁６ａおよび側部嵌合後壁６ｂ間の溝部６ｃの寸法は、正面構造体Ａの止水壁部２の側縁部２ｅがスライドして嵌合するように、該側縁部２ｅの厚さ寸法に若干のクリアランスを加えた寸法に設定されている。
【００３３】
側部嵌合前後壁６ａ、６ｂが支持される側壁止水補強部７は、図５、図６に示すように、正面構造体Ａの側部を閉塞して防水するように側面視で略三角形の板状に形成されている。
【００３４】
側壁止水補強部７に取り付けられる側壁止水シール部８は、水害防止装置１側部からの漏水を防止するために水密性を有するとともに側壁に押圧されて変形してシールする硬めのスポンジ等を用いて製造され、図１に示すように、所定の厚みを有して側面視で上下に延在する長方形状に形成されている。
【００３５】
側壁止水シール部８は、スポンジ等で形成され強度に欠けることから、その中に側壁シール補強部９が補強材として上下方向に延在して設けられている。
【００３６】
図７は、正面構造体Ａを側方に連続して並設するための部材である接続体Ｃを示している。
【００３７】
接続体Ｃは、上板Ｃ1と下板Ｃ2と溝(第１接続用溝部)Ｃ41、溝(第２接続用溝部)Ｃ42を形成するための隔板部Ｃ3とを備えている。
【００３８】
この溝Ｃ41、溝Ｃ42に、隣り合う正面構造体Ａの止水壁部２の側縁部２ｅをスライドさせて嵌合してシールすることにより、複数の正面構造体Ａを側方に連続して並設することができる。
【００３９】
止水シール部５を除く正面構造体Ａ、および側壁止水シール部８を除く側部構造体Ｂ１、Ｂ２は、例えば、ステンレス鋼板等の金属板または高強度プラスチックを用いて製造されており、同様に、接続体Ｃは、例えば、ステンレス鋼板等の金属板、高強度プラスチックを用いて製造されている
ここで、図３に示す正面構造体Ａの止水シール部５を除いた部分を、ステンレス鋼板を用いて製造する例を、側方から見た概念図である図８を用いて説明する。
【００４０】
所定寸法に切断した１枚のステンレス鋼板(金属板)ｓを準備し、該ステンレス鋼板ｓをａ部およびｂ部で折り返してｃ部で重ね、ａ部、ｂ部およびｃ部にそれぞれ接着フィルムを挟んで熱溶着により接着して、止水シール部５を除く正面構造体Ａを形成する。この方法によれば、正面構造体Ａの生産が容易に行なえ、生産コストを低減できる。
【００４１】
或いは、上記例とは異なり、正面構造体Ａにおける止水壁部２と水圧補強部３と基盤ベース部４とをそれぞれ別体に形成し、水圧補強部３を止水壁部２裏面に蝶番を介して取り付ける構成とすることも可能である。  なお、この場合、止水壁部２の下縁部が基盤ベース部４に形成した対応する凸部に係合して止水し、また、水圧補強部３の下縁部が基盤ベース部４に形成した対応する凸部に係合して支持される構成とする。
【００４２】
この構成では、未使用時には、基盤ベース部４が平板状となり、また、水圧補強部３を止水壁部２裏面に折り畳んで平板状にして持ち運びできるので、水害防止装置１の運搬が容易となる。
【００４３】
また、水害防止装置１として使用する場合は、止水壁部２の下縁部を基盤ベース部４に形成した対応する凸部に係合するとともに水圧補強部３を止水壁部２の裏面から離し、基盤ベース部４の対応する凸部に係合すればよい。
【００４４】
次に、上記構成の水害防止装置１を、例えば、オフイスビルの通路に設置する方法について説明する。
【００４５】
オフイスビルの通路の水害防止装置１の設置場所の床面には、予めアンカーを埋め込んでおく。
【００４６】
洪水が起こりオフイスビルの通路に浸水が見込まれる際には、図３に示す正面構造体Ａに、図５に示す側部構造体Ｂ１、Ｂ２を、矢印βに示すように、その両側方から近付け、正面構造体Ａの止水壁部２の側縁部２ｅに側部構造体Ｂ１、Ｂ２の溝部６ｃをスライドさせて嵌合し、正面構造体Ａの外側部域５ｂ、５ｂ上に側部構造体Ｂ１、Ｂ２を組み付けて、図１に示す水害防止装置１を組み立てる。
【００４７】
そして、水害防止装置１前部の固定用孔４ａ、…にそれぞれアンカーボルトを挿通して、設置済みのアンカーに螺着して、水害防止装置１を通路の床面に据え付ける。
【００４８】
或いは、上記方法に代えて、まず、図３に示す正面構造体Ａを設置箇所の床面に載置し、固定用孔４ａ、…にそれぞれアンカーボルトを挿通し設置済みのアンカーに螺着して、正面構造体Ａを通路の床面に据え付ける。
【００４９】
その後、図３の矢印βに示すように、正面構造体Ａの両側方から図５に示す側部構造体Ｂ１、Ｂ２を近付け、正面構造体Ａの止水壁部２の側縁部２ｅに側部構造体Ｂ１、Ｂ２の溝部６ｃをスライドさせて嵌合し、正面構造体Ａの両側部の外側部域５ｂ、５ｂ上に側部構造体Ｂ１、Ｂ２を組み付け、図１に示す水害防止装置１を組み立ててもよい。
【００５０】
このように、水害防止装置１がアンカーボルトを用いて通路の床面に据え付けられることにより、基盤ベース部４に加わるアンカーボルトの締着力により止水シール部５が変形して、水害防止装置１下面と通路の床面とが密着してシールされ、水害防止装置１下面と通路の床面間からの漏水が防止できる。
【００５１】
また、水害防止装置１の両側部の側壁止水シール部８、８がそれぞれ通路の壁面に押圧されることにより変形して、水害防止装置１両側部と通路の壁面間がシールされ、水害防止装置１両側部からの漏水を防止できる。
【００５２】
こうして、水害防止装置１がオフイスビルの通路に設置された場合、図１の矢印αに示すように、その前方からの洪水は、水害防止装置１の止水壁部２に堰き止められるとともに、水害防止装置１下面と通路の床面間からの漏水が止水シール部５のシール作用により防止され、また、水害防止装置１両側部と通路の壁面間からの漏水が側壁止水シール部８、８により防止され、建物内への浸水を防止することができる。
【００５３】
なお、上述の例では、単一の正面構造体Ａを水害防止装置１として、オフイスビルの通路に設置した場合を説明したが、次に、複数の正面構造体Ａを接続体Ｃ(図７参照)を介して互いに接続し水害防止装置１を任意の長さに設定して、屋外に設置する場合について説明する。
【００５４】
複数の正面構造体Ａを並設した水害防止装置１を用いる場合、隣り合う正面構造体Ａのうちの一方の正面構造体Ａにおける止水壁部２の側縁部２ｅに接続体Ｃ(図７参照)の一方の溝Ｃ41をスライドさせて嵌合するとともに、隣り合う他方の正面構造体Ａにおける止水壁部２の側縁部２ｅにこの接続体Ｃの他方の溝Ｃ42をスライドさせて嵌合する。  この作業を、互いに接続する正面構造体Ａ間で繰り返して、任意の数の正面構造体Ａを互いに接続し並設することができる。
【００５５】
こうして、接続した複数の正面構造体Ａの両端部に位置する正面構造体Ａ、Ａの止水壁部２の側縁部２ｅ、２ｅに、図５に示す側部構造体Ｂ１、Ｂ２の溝部６ｃ、６ｃをそれぞれスライドして嵌合して、複数の正面構造体Ａを並設した水害防止装置１が完成する。
【００５６】
なお、屋外に水害防止装置１を設置する場合は、アンカーボルトの代わりに杭を適宜、水害防止装置１における正面構造体Ａの固定用孔４ａ、…を挿通させ地面に打ち込むことにより、水害防止装置１を地面に設置する。なお、杭の代わりにアンカーボルトを用いて設置することも可能であることは言うまでもない。
【００５７】
上記構成によれば、洪水等による浸水が水害防止装置１により堰き止められ、浸水による水害を防止できる。
【００５８】
また、単一の正面構造体Ａをもつ水害防止装置１の据え付けは、正面構造体Ａの両側部に側部構造体Ｂ１、Ｂ２を嵌合することにより組み付け、アンカーボルトまたは杭を固定用孔４ａ、…にそれぞれ挿通して締着または地面に打ち込むことにより、水害防止装置１を据付できるので、据付けが容易である。
【００５９】
また、任意の設置場所に据え付ける場合にも、任意の数の正面構造体Ａを接続体Ｃを介して接続して任意の長さの水害防止装置１をアンカーボルト等により設置できるので、設置場所の広狭に拘らず、容易に設置できる。従って、任意の長さの水害防止装置１の据え付けを労力をかけることなく短時間で行なえる。
【００６０】
また、図８に示すように、正面構造体Ａをステンレス鋼板等の金属板を折り返して、強度が必要な箇所は重ねて接着して形成すれば、容易に正面構造体Ａを製造することが可能で、生産コストの低減を図れる。
【００６１】
また、止水シール部５は、基盤ベース部４下方の中央部５ａに対して基盤ベース部４外側方の外側部域５ｂ、５ｂを薄く形成するため、側部構造体Ｂ１、Ｂ２下面と正面構造体Ａの基盤ベース部４下面間に段差が形成され、正面構造体Ａと側部構造体Ｂ１、Ｂ２間のシール性が増加し、水漏れをより防止できる。
【００６２】
また、正面構造体Ａにおける止水壁部２と水圧補強部３と基盤ベース部４とをそれぞれ別体に形成し、水圧補強部３を、止水壁部２の裏面に蝶番を介して取り付ければ、未使用時には、水圧補強部３を止水壁部２の裏面に畳んで平板状にして持ち運びでき、運搬が容易である。また、水害防止装置１として使用する場合は、水圧補強部３を止水壁部２の裏面から離し、基盤ベース部４の対応する凸部に係合して支持すればよいので設置が容易である。
【００６３】
また、水害防止装置１は、簡素かつ軽量な構成であることから、生産コストが低く、かつ、運搬にも便利である。
【００６４】
従って、洪水が起こった場合にも、少ない時間と労力で迅速に所定場所に設置することが可能であるとともに、浸水を確実に防止し得る軽量かつ簡素な構造の水害防止装置を実現できる。
【図面の簡単な説明】
【００６５】
【図１】本発明に関わる実施例の水害防止装置を前方から見た斜視図。
【図２】図１に示す水害防止装置を後方から見た斜視図。
【図３】実施例の正面構造体を前方から見た斜視図。
【図４】図３に示す正面構造体を後方から見た斜視図。
【図５】実施例の側部構造体を前方から見た斜視図。
【図６】図５に示す側部構造体を後方から見た斜視図。
【図７】実施例の接続体を示す斜視図。
【図８】実施例の止水シール部を除く正面構造体をステンレス鋼板を折り返して製造したものを示す概念的側面図。
【符号の説明】
【００６６】
１…水害防止装置、
２…止水壁部、
２ｅ…止水壁部の側縁部、
３…水圧補強部、
４…基盤ベース部、
４ａ…固定手段、
５…止水シール部、
５ｂ…外側部域、
６ｃ…側部構造体の溝部、
７…側壁止水補強部、
８…側壁止水シール部、
Ａ…正面構造体、
Ｂ１、Ｂ２…側部構造体、
Ｃ…接続体、
Ｃ41…溝(第１接続用溝部)、
Ｃ42…溝(第２接続用溝部)、
ｓ…ステンレス鋼板(金属板)。
【図１】
2008002195.tif 000003
【図２】
2008002195.tif 000004
【図３】
2008002195.tif 000005
【図４】
2008002195.tif 000006
【図５】
2008002195.tif 000007
【図６】
2008002195.tif 000008
【図７】
2008002195.tif 000009
【図８】
2008002195.tif 000010